(57)【特許請求の範囲】
【請求項１】
複数の給紙トレイを使うジョブを実行する場合に出力用紙の向きがそろうように前記複数の給紙トレイの組み合わせによるトレイ決定手順を記憶する記憶手段と、クライアント装置から受信した指示より給紙トレイのパラメータを特定するパラメータ解釈手段と、前記パラメータおよび前記トレイ決定手順に基づいて使用すべき給紙トレイを決定する給紙トレイ決定手段とを備えたことを特徴とする画像処理装置。
【請求項２】
前記トレイ決定手順は、１つの給紙トレイが指定された場合に、前記給紙トレイの用紙向きと同じ用紙向きの給紙トレイを選択するように設定されることを特徴とする請求項１記載の画像処理装置。
【請求項３】
複数の給紙トレイを有する画像処理装置と、前記画像処理装置にネットワークを介して接続されたクライアント装置とを備えた画像処理システムであって、前記画像処理装置が前記複数の給紙トレイを使うジョブを実行する場合に出力用紙の向きがそろうように前記給紙トレイの組み合わせによるトレイ決定手順を記憶しており、複数の給紙トレイからの給紙を必要とする場合に、前記クライアント装置からの指示に応じて、前記トレイ決定手順により前記給紙トレイの組み合わせを決定することを特徴とする画像処理システム。
【請求項４】
前記給紙を必要とする複数の給紙トレイの１つが手差しトレイであることを特徴とする請求項３記載の画像処理システム。
【請求項５】
組み合される給紙トレイとして、前記手差しトレイの用紙向きと同じ用紙向きの給紙トレイが選択されることを特徴とする請求項４記載の画像処理システム。
【発明の詳細な説明】
【０００１】
【発明の属する技術分野】
本発明は、複数の給紙トレイを使うジョブを実行するために好適な画像処理装置に関するものである。
【０００２】
【従来の技術】
従来から、クライアント装置がネットワークを介してプリンタ等の画像処理装置に接続された画像処理システムが知られている。この種のシステムでは、例えば、クライアント装置から、複数の給紙トレイ（手差しトレイ１つを含む）を有する画像処理装置に対して、複数の給紙トレイを使うジョブを印刷指示として与えることができる。複数の給紙トレイを使うジョブとは、具体的には、ＯＨＰ合紙を用いる場合あるいは本文に表紙付けを行う場合などである。手差し給紙時の出力用紙の向きは、クライアント装置から指定することができる。
【０００３】
【発明が解決しようとする課題】
しかしながら従来は、複数の給紙トレイを使うジョブを実行する場合に、出力用紙の向き（横送り、または縦送り）がそろうことが期待されているにもかかわらず、向きがそろわないことがあるという問題があった。また、手差しトレイから給紙する場合、画像処理装置が出力用紙の向きを判断するため、あらかじめ手差しトレイに用紙をセットしておいても、異なる向きをセットするよう要求されることがあるという問題があった。
【０００４】
従って本発明の目的は、複数の給紙トレイを使うジョブ実行時に出力用紙の向きを適切に指定することができる画像処理装置および画像処理システムを提供することにある。
【０００５】
【課題を解決するための手段】
上記目的は、複数の給紙トレイの組み合わせによるトレイ決定手順を記憶する記憶手段と、クライアント装置から受信した指示より給紙トレイのパラメータを特定するパラメータ解釈手段と、前記パラメータおよび前記トレイ決定手順に基づいて使用すべき給紙トレイを決定する給紙トレイ決定手段とを備えた画像処理装置により、達成される。
【０００６】
ここで、前記トレイ決定手順は、１つの給紙トレイが指定された場合に、前記給紙トレイの用紙向きと同じ用紙向きの給紙トレイを選択するように設定することができる。
【０００７】
本発明に係る画像処理システムは、複数の給紙トレイを有する画像処理装置と、前記画像処理装置にネットワークを介して接続されたクライアント装置とを備えたものであって、前記画像処理装置が前記給紙トレイの組み合わせによるトレイ決定手順を記憶しており、複数の給紙トレイからの給紙を必要とする場合に、前記クライアント装置からの指示に応じて、前記トレイ決定手順により前記給紙トレイの組み合わせを決定するものである。
【０００８】
ここで、前記給紙を必要とする複数の給紙トレイの１つは、例えば、手差しトレイとすることができる。この場合において、好適には、組み合される給紙トレイとして、前記手差しトレイの用紙向きと同じ用紙向きの給紙トレイが選択される。
【０００９】
【発明の実施の形態】
図１は、本発明に係る画像処理装置とそれに印刷指示を行うクライアント装置とを備えた画像処理システムの構成例を示す図である。図のように、プリンタ等の画像処理装置１が、ネットワーク２を介して、コンピュータ端末等のクライアント装置３〜５に接続されている。
【００１０】
画像処埋装置１は、手差しトレイを１つ含む複数の給紙トレイを有する。クライアント装置３〜５は、ネットワーク２を介して画像処理装置１に必要に応じて印刷指示を出力する。画像処理装置１は、その印刷指示を受信して印刷処理を行う。ここで画像処理装置１は、ＯＨＰ合紙など複数の給紙トレイを使うジョブを実行する場合に、出力用紙の向き（横送り、または縦送り）がクライアント装置からの印刷指示通りにそろうように印刷を行うように構成されている。以下、画像処理装置１の構成について詳述する。
【００１１】
図２は、本発明に係る画像処理装置の一実施例を示すブロック構成図である。本装置は、図のように、給紙トレイの組み合わせによるトレイ決定手順２０を記憶するための記憶手段２１と、クライアント装置からジョブに関する指示を受信するジョブ受付手段２２と、そこで受信したパラメータを解釈して前記給紙トレイのパラメータを特定するパラメータ解釈手段２３と、このパラメータおよび前記トレイ決定手順に基づいて、使用すべき給紙トレイを決定する給紙トレイ決定手段２４とを備える。図２中において、太線矢印は指示経路を示し、細線矢印はデータ（＋指示）経路を示す。
【００１２】
画像処理装置１は、次のようにして、クライアント装置３〜５からの指示と、記憶手段２１で決められた手順とを用いて、出力用紙の向きを決める。まず、ジョブ受付手段２２がジョブデータと給紙トレイ選択を含む各種パラメータを受信すると、パラメータ解釈手段２３はこの各種パラメータを解釈し、給紙トレイに関しては、使用する２つの給紙トレイのパラメータを特定する。給紙トレイ決定手段２４は、記憶手段２１に格納されているパラメータを読み出して、これを上記特定されたパラメータと比較し、この比較結果に基づいて、使用する給紙トレイを決定する。これにより適切な出力用紙の向きが選択される。
【００１３】
図３は、２つの給紙トレイの組み合わせによるトレイ決定手順を説明するための図である。図に示すように、まず、トレイＡとトレイＢをともに「自動選択」とするのは禁止される（指定不可）。また、トレイＡとトレイＢをともに「手差しトレイ」とした場合は、手差しトレイが１つの画像処理装置を前提にしているため、同じトレイからの給紙となる。従って、この場合は、１つのトレイからの給紙と同様に、出力用紙の向きを決めればよい。
【００１４】
次に、一方を「カセットトレイ」とした場合は、カセットトレイの指定を優先して、その出力用紙の向きも含めて、他方をその向きに合わせる。すなわち、トレイＡを「カセットトレイ」とした場合で、トレイＢを「自動選択」としたときは、トレイＡとして指定されたカセットトレイの用紙向きを条件にトレイＢを自動選択で選び、トレイＢを「手差しトレイ」としたときは、トレイＡとして指定されたカセットトレイの用紙向きが手差しトレイの用紙向きになる。同様に、トレイＢを「カセットトレイ」とした場合で、トレイＡを「自動選択」としたときは、トレイＢとして指定されたカセットトレイの用紙向きを条件にトレイＡを自動選択で選び、トレイＡを「手差しトレイ」としたときは、トレイＢとして指定されたカセットトレイの用紙向きが手差しトレイの用紙向きになる。
【００１５】
また、トレイＡとトレイＢをともに「カセットトレイ」とした場合は、トレイＡとして指定されたカセットトレイと、トレイＢとして指定されたカセットトレイとなる（用紙向きが異なってもよい）。
【００１６】
残る組み合わせは、「自動選択」と「手差しトレイ」となるが、この場合の決め方を次に示す。
▲１▼：手差しトレイの用紙向きを決めて、自動選択においてはこの用紙向きも条件とする。
▲２▼：自動選択で決まった用紙向きを、手差しトレイの用紙向きとする。
【００１７】
上記▲１▼における手差しトレイの用紙向きの決め方は、次のようになる。ただし、指定が異なるときはクライアント装置の指定を有効とする。まず、画像処理装置においては、手差しトレイ給紙の出力用紙の優先向き（横送り、または縦送り）を設定しておく。一方、クライアント装置からは、手差しトレイ給紙の出力用紙の優先向きが指定される。この場合の指定は、「横送り」または「縦送り」または「画像処理装置の設定にしたがう」のいずれかである。
【００１８】
さらに、上記▲１▼においては、条件の強さで、次の２とおりがある。
▲１▼−ａ：決められた用紙向きは、自動選択において変更されない。
▲１▼−ｂ：決められた用紙向きは、自動選択において変更されうる（該当するものがなかったとき）。
【００１９】
以下、２つのトレイからの給紙を必要とする表紙付けおよびＯＨＰ合紙を例にとって説明する。表紙付けは、結果として１つのトレイのみを使うことになる場合がある。
【００２０】
＜表紙付けの指定＞
クライアント装置３〜５で、表紙および表紙以外（本文）の給紙トレイをつぎの選択肢から選択し、また、その他のパラメータも選択して、ジョブデータを、ネットワーク２を介して画像処理装置１に送信する。
表紙：カセットトレイ１〜Ｎ、または手差しトレイ
本文：カセットトレイ１〜Ｎ、または手差しトレイ、または自動選択
【００２１】
この場合、画像処理装置１は、次のようにして、出力用紙の向きを決める。まず、図２に示すように、ジョブ受付手段２２がジョブデータと給紙トレイ選択を含む各種パラメータを受信すると、パラメータ解釈手段２３はこの各種パラメータを解釈し、表紙および本文用の２つの給紙トレイに関して、それぞれ給紙トレイのパラメータを特定する。給紙トレイ決定手段２４は、この特定されたパラメータおよび記憶手段２１に格納されているパラメータを読み出して、使用する給紙トレイを決定する。すなわち、図３に示すトレイ決定手順にしたがって、給紙トレイの組み合わせが決定される。これにより適切な出力用紙の向きが選択される。
【００２２】
＜ＯＨＰ合紙の指定＞
クライアント装置３〜５で、合紙の給紙トレイをつぎの選択肢から選択し、また、その他のパラメータも選択して、ジョブデータを、ネットワーク２を介して画像処理装置１に送信する。この場合、ＯＨＰフィルムは、手差しトレイからのみ給紙可能とする。
合紙：カセットトレイ１〜Ｎ、または自動選択
【００２３】
この場合、画像処理装置１は、次のようにして、出力用紙の向きを決める。まず、図２に示すように、ジョブ受付手段２２がジョブデータと給紙トレイ選択を含む各種パラメータを受信すると、パラメータ解釈手段２３はこの各種パラメータを解釈し、合紙用の給紙トレイに関して、その給紙トレイのパラメータを特定する。給紙トレイ決定手段２４は、この特定されたパラメータおよび記憶手段２１に格納されているパラメータを読み出して、使用する給紙トレイを決定する。すなわち、図３に示す一方が手差しトレイの場合のトレイ決定手順にしたがって、給紙トレイの組み合わせが決定される。これにより適切な出力用紙の向きが選択される。
さらに、クライアント装置での指示をより簡便にするため、グラフィカルＵＩなどの機能を追加することができる。
【００２４】
【発明の効果】
本発明によれば、複数の給紙トレイを使うジョブ実行時に出力用紙の向きを適切に指定することができる画像処理装置および画像処理システムを得ることができる。
【図面の簡単な説明】
【図１】本発明に係る画像処理装置とそれに印刷指示を行うクライアント装置とを備えた画像処理システムの構成例を示す図である。
【図２】本発明に係る画像処理装置の一実施例を示すブロック構成図である。
【図３】２つの給紙トレイの組み合わせによるトレイ決定手順を説明するための図である。
【符号の説明】
１  画像処理装置
２  ネットワーク
３、４、５  クライアント装置
２０  トレイ決定手順
２１  記憶手段
２２  ジョブ受付手段
２３  パラメータ解釈手段
２４  給紙トレイ決定手段
【図１】
0003809763.tif 000002
【図２】
0003809763.tif 000003
【図３】
0003809763.tif 000004